(57)【要約】  本発明は、グリッド（２）への供給が中央制御ユニット（ＰＰＣ）により作動することにより決定される複数のインバータ（ＩＮ）を有する分散型エネルギー生成システムを調整する方法に関する。中央制御ユニット（ＰＰＣ）は、エネルギー生成システム（１）のグリッド接続点（ＰＣＣ）における有効電力、無効電力、及び電圧振幅を検出する。エネルギー生成システム（１）の通常動作モードでは、中央制御ユニット（ＰＰＣ）は、中央制御ユニット（ＰＰＣ）が指定されたターゲット値を複数のインバータ（ＩＮ）の個々のターゲット設定に分割し、個々のターゲット設定をインバータ（ＩＮ）に通信するという点で、グリッドオペレータにより指定されるターゲット値に無効電力及び有効電力を調整する。エネルギー生成システムの特定の動作モードへの切り替えは、３つの以下の基準：指定された第１の閾値を超えた電圧振幅の低下、指定された第２の閾値を超えた有効電力の増加、及び不足励起方向での指定された第３の閾値を超えない無効電力変化が、指定された時間間隔にグリッド接続点（ＰＣＣ）に存在する場合、実行される。特定の動作モードでは、中央制御ユニット（ＰＰＣ）は、指定されたターゲット値と比較してグリッド接続点（ＰＣＣ）において提供される有効電力の低減を行う。本発明は同様に、対応する分散型エネルギー生成システム（１）にも関する。【選択図】図２
2021515509.tif 000002
【特許請求の範囲】
【請求項１】
複数のインバータ（ＩＮ）を用いる分散型エネルギー生成システム（１）を調整する方法において、グリッド（２）へのインフィードは、中央制御ユニット（ＰＰＣ）により駆動することにより決定され、前記中央制御ユニット（ＰＰＣ）は、前記エネルギー生成システムのグリッド接続点（ＰＣＣ）における有効電力、無効電力、及び電圧振幅を検出し、前記エネルギー生成システムの通常動作モードにおいて、前記中央制御ユニット（ＰＰＣ）が、規定されるターゲット値を前記複数のインバータ（ＩＮ）の個々のターゲット規定に分割し、個々のターゲット規定を前記インバータ（ＩＮ）に通信することにより、グリッドオペレータにより規定される前記ターゲット値に前記無効電力及び前記有効電力を調整し、
以下の３つの基準：
規定された第１の閾値を超えた前記電圧振幅の低下、
規定された第２の閾値を超えた有効電力の増加、及び
不足励起方向における規定された第３の閾値を超えない無効電力変化
が、規定される時間間隔で前記グリッド接続点（ＰＣＣ）に存在する場合、前記エネルギー生成システム（１）の特定の動作モードに変更し、
前記特定の動作モードにおいて、前記中央制御ユニット（ＰＰＣ）は、前記規定されたターゲット値と比較して、前記グリッド接続点（ＰＣＣ）において提供される前記有効電力の低減を行うことを特徴とする方法。
【請求項２】
請求項１に記載の方法において、前記特定の動作モードにおいて、前記中央制御ユニット（ＰＰＣ）は、前記規定されたターゲット値から独立して、過励起方向において前記グリッド接続点（ＰＣＣ）において提供される前記無効電力の変化を更に行うことを特徴とする方法。
【請求項３】
請求項１又は２に記載の方法において、前記電圧振幅の低下及び前記有効電力の増加を突き止めることは、前記規定された時間間隔の開始時及び終了時における実際の値の差を前記閾値のそれぞれと比較することにより実行されることを特徴とする方法。
【請求項４】
請求項１〜３の何れか一項に記載の方法において、前記中央制御ユニット（ＰＰＣ）は、前記個々のターゲット規定と比較して対応して変更される個々の特定のターゲット規定を前記インバータ（ＩＮ）に通信することにより、前記グリッド接続点（ＰＣＣ）において提供される前記有効電力の低減及び／又は過励起方向における前記グリッド接続点（ＰＣＣ）において提供される前記無効電力の変更を行うことを特徴とする方法。
【請求項５】
請求項１〜４の何れか一項に記載の方法において、前記エネルギー生成システム（１）の前記特定の動作モードへの前記変更は、前記グリッドオペレータに通知されることを特徴とする方法。
【請求項６】
請求項１〜５の何れか一項に記載の方法において、前記通常動作モードへの復帰は、前記グリッドオペレータの制御信号が前記中央制御ユニット（ＰＰＣ）に通信されることにより行われることを特徴とする方法。
【請求項７】
複数のインバータ（ＩＮ）と、前記複数のインバータ（ＩＮ）を駆動するように構成された中央制御ユニット（ＰＰＣ）とを有する分散型エネルギー生成システムにおいて、前記駆動することは、通常動作モードにおいて、前記分散型エネルギー生成システムのグリッド接続点（ＰＣＣ）を介してグリッド（２）への有効電力及び無効電力のインフィードについてグリッドオペレータにより規定されるターゲット値に応じて分割し、個々のターゲット規定を前記複数のインバータ（ＩＮ）に通信することを含み、
前記中央制御ユニット（ＰＰＣ）は、以下の３つの基準：
規定された第１の閾値分の電圧振幅の低下、
規定された第２の閾値分の有効電力の増加、及び
不足励起方向における規定された第３の閾値を超えない無効電力変化
が、規定される時間間隔で前記グリッド接続点（ＰＣＣ）に存在する場合、前記ターゲット値と比較した前記グリッド接続点（ＰＣＣ）において提供される前記有効電力の低減を行うことにより、前記エネルギー生成システム（１）の特定の動作モードへの変更を行うように構成されることを特徴とする分散型エネルギー生成システム。
【請求項８】
請求項７に記載の分散型エネルギー生成システムにおいて、前記エネルギー生成システムの可能な最大有効電力出力は、前記グリッド（２）に接続された他のグリッド参加者の電力交換を考慮した、前記グリッド接続点（ＰＣＣ）に接続された前記グリッド（２）の最大許容可能有効電力取り込み能力よりも大きいことを特徴とする分散型エネルギー生成システム。
【発明の詳細な説明】
【技術分野】
【０００１】
本発明は、複数のインバータを有する分散型エネルギー生成システムを調整する方法及びそのようなエネルギー生成システムに関する。
【背景技術】
【０００２】
分散型エネルギー生成システム、例えば、光起電アレイ又はウィンドパークでは、複数の発電機が相互接続され、グリッド接続点を介して、発電された電力を接続されたグリッドに出力する。制御目的で、エネルギー生成システムは、グリッドオペレータにより規定される有効電力及び無効電力の特定の現在ターゲット値がグリッド接続点において提供されることを保証する、パークレギュレータとも呼ばれる中央制御ユニットを備える。中央制御ユニットは複数のインバータを駆動して、上記ターゲット値を提供し、発電機がそれぞれインバータに割り当てられ、インバータは、発電機により発電された電力をグリッド準拠ＡＣ電圧に変換する。
【０００３】
各インバータの周波数ドループＰ（ｆ）及び／又は電圧ドループＱ（Ｕ）を規定し、任意選択的に、グリッド接続点において全てのインバータによりまとめて提供される有効電力及び／又は無効電力がターゲット値に対応するようにＰ（Ｆ）及び／又はＱ（Ｕ）を変更する中央制御ユニットにより、グリッド接続点におけるターゲット値への準拠を達成することができることが知られている。同時に、このような分散型エネルギー生成システムは、安定したグリッド状態を得るように、すなわち、グリッド周波数ｆ及び／又はそれぞれ電圧振幅Ｕの許容幅に準拠するように努める。
【０００４】
さらに、供給電力についてのグリッドの取り込み能力が限られており、図１に例として示されるように、いわゆる「ノーズカーブ」によって記述することができることが知られている。図１中、グリッド接続点において供給される有効電力はＸ軸にプロットされ、一方、グリッド接続点における電圧振幅はＹ軸にプロットされている。異なるグリッド状態に対応するＩ、ＩＩによって示される２つの「ノーズカーブ」に基づいて、グリッド電圧ＵＣｒｉｔにグリッドの最大有効電力取り込み点Ｐｍａｘがあることが明かである。この点は、グリッドが安定している、最大有効電力取り込み点Ｐｍａｘに割り当てられた電圧ＵＣｒｉｔよりも大きなグリッド電圧を有する第１の値範囲を、グリッドが不安定である、最大有効電力取り込み点Ｐｍａｘに割り当てられた電圧ＵＣｒｉｔ未満のグリッド電圧を有する第２の値範囲から分ける。したがって、安定したグリッド動作には、最大有効電力取り込み点Ｐｍａｘに達しないか、又はＰｍａｘを超えないように、第１の値範囲で分散型エネルギー生成システムを動作させる必要があり、その理由は、Ｐｍａｘでの動作又はＰｍａｘを超えての動作はグリッド故障を生じさせる恐れがあるためである。
【０００５】
特に分散型エネルギー生成システム自体の無効電力提供の変化を理由として「ノーズカーブ」のプロファイルは経時変化するため、最大有効電力取り込み点Ｐｍａｘもシフトし、且つ／又はそれぞれ割り当てられた電圧ＵＣｒｉｔもシフトする。したがって、単純な電力基準又は電圧基準に基づいて分散型エネルギー生成システムの安定したインフィード動作を保証することは可能ではない。むしろ、従来技術では、分散型エネルギー生成システムは、全てのグリッド状況下での可能な最大有効電力インフィードが、グリッドの考えられ得る全ての動作状況を考慮して、グリッド接続点における最小の最大有効電力取り込みＰｍａｘ未満である場合のみ、認められる。これには、特に、時折のみ弱いグリッドリンクを有するグリッド領域であっても、認めることができる分散型エネルギーシステムはないか、又は少なくともごく小さなものであるという影響がある。したがって、このようなグリッドへの分散型電力提供の可能性は限られる。
【０００６】
したがって、本発明の目的は、分散型エネルギー生成システムの調整方法及び所与のグリッド状況下で、有効電力インフィードが接続されたグリッドの電力取り込み能力を超える恐れがあることを容易に認識することができ、その場合、生じる全てのグリッド状況下で安定したインフィード動作が保証されるように適宜独立して反応することができる分散型エネルギー生成システムを示すことである。
【０００７】
この目的は、独立クレーム１の特徴を含む方法により及びそれぞれ独立クレーム６の特徴を含む分散型エネルギー生成システムにより達成される。方法及びそれぞれエネルギー生成システムの好ましい実施形態は従属クレームに記載されている。
【０００８】
本発明の一態様は、複数のインバータを用いる分散型エネルギー生成システムを調整する方法であって、グリッドへのインフィードは、中央制御ユニットにより駆動することにより決定される、方法に関する。この場合、エネルギー生成システムの通常動作では、中央制御ユニットは、エネルギー生成システムのグリッド接続点における有効電力、無効電力、及び電圧振幅を検出し、中央制御ユニットがターゲット値を複数のインバータの個々のターゲット規定に分割し、上記個々のターゲット規定をインバータに通信することにより、グリッドオペレータにより規定される上記ターゲット値に調整する。例として、中央制御ユニットは、インバータに、ターゲット値の関数として周波数ドループＰ（ｆ）及び／又は電圧ドループＱ（Ｕ）を規定し、すなわち、インバータは、測定されたグリッド周波数ｆの関数として供給有効電力Ｐを変更し、且つ／又はそれぞれ、測定された電圧振幅Ｕの関数として無効電力Ｑを採用する。
【０００９】
本発明による調整方法は、以下の３つのイベント：
１．規定された第１の閾値を超えた電圧振幅の低下、
２．規定された第２の閾値を超えた有効電力の増加、及び
３．不足励起方向における規定された第３の閾値を超えない無効電力変化
が、規定される時間間隔でグリッド接続点において確認される場合、エネルギー生成システムの特定の動作モードに変更することを特徴とする。
【００１０】
グリッド接続点における上述した電気特性変数のモニタリングは、好ましくは、中央制御ユニットにより実行される。この特定の動作モードでは、供給有効電力及び／又はそれぞれの無効電力は、もはやターゲット値に基づいて決定されない。代わりに、中央制御ユニットは、例えば、通常動作モードと比較して変更された様式でインバータを分割することにより、特に対応して変更された個々の特定のターゲット規定を複数のインバータに通信することにより、グリッド接続点において提供される有効電力の低減を行う。しかしながら、これは、それに付随して、グリッド接続点において提供される有効電力がなおターゲット値により決定されること、すなわち、例えば、電力が規定された絶対値又は上記ターゲット値の規定された係数により低減されることを除外せず、これは同様に考えることができる。
【００１１】
好ましい一実施形態では、特定の動作モードでは、有効電力の低減に加えて、中央制御ユニットは、ターゲット値から独立して、過励起方向におけるグリッド接続点において提供される無効電力の増大を、例えば、それに対応して変更された無効電力の個々の特定のターゲット規定もインバータに通信することにより行う。この方策はグリッドの安定化を追加することになる。
【００１２】
特定の動作モードへの分散型エネルギー生成システムの変更はグリッドオペレータに通知することができる。通常動作モードへの復帰も同様に、グリッドオペレータに通知することができる。通常動作モードへの復帰は、グリッドオペレータにより規定されるターゲット値に従ったインフィードが安定したグリッド状態を危うくしないことが保証される場合、行われる。例として、グリッド接続点における電圧振幅を観測しながら、対応するターゲット値の方向に分散型エネルギー生成システムの供給有効電力を段階的に又は連続して増大させ、このターゲット値に達した場合、通常動作モードに戻ることが可能である。
【００１３】
代替的には、グリッドオペレータは、ターゲット値に対応する分散型エネルギー生成システムのインフィードが不安定なグリッド状態にならないことを確信する場合、適した制御信号を中央制御ユニットに通信することができ、適した制御信号が通信されると、中央制御ユニットは、分散型エネルギー生成システムを通常動作モードに戻す。
【００１４】
有利な一態様では、電圧振幅の低下を突き止めること及び有効電力の増加を突き止めることは、規定された時間間隔の開始時及び終了時における実際の値の差を閾値のそれぞれと比較することにより実行される。しかしながら、例えば、差の形成に、規定された時間間隔内の各最大値及び各最小値を使用することも考えることができる。実際の値の代わりに適宜平均された値を使用することも可能なことは言うまでもない。
【００１５】
規定された時間間隔の持続時間は、好ましくは、１秒〜１０分に選ばれ、間隔が短いほど、分散型エネルギー生成システムの反応時間は高速になるが、特定の動作モードが誤って開始される確率は上がる。
【００１６】
本発明による方法の一変更では、特定の動作モードに変更する基準が満たされたか否かをチェックするために長さの異なる複数の時間間隔、例えば２つの時間間隔を提供することを考えることもでき、長さの異なる時間間隔にはまた、異なる第１〜第３の閾値が割り当てられる。特定の動作モードへの変更は、基準が時間間隔のいずれか１つにわたり満たされる場合、又は基準が同時に若しくは十分に短い時系列で複数の又は全ての時間間隔で満たされる場合、行うことができる。
【００１７】
本発明の更なる態様では、複数のインバータを有する分散型エネルギー生成システムは、複数のインバータを駆動するように構成された中央制御ユニットを備え、駆動することは、通常動作モードにおいて、分散型エネルギー生成システムのグリッド接続点を介してグリッドへの有効電力及び無効電力のインフィードについてグリッドオペレータにより規定されるターゲット値に応じて分割し、個々のターゲット規定、例えば周波数ドループＱ（Ｕ）及び／又は電圧ドループＰ（ｆ）を複数のインバータに通信することを含む。本発明による分散型エネルギー生成システムは、中央制御ユニットが、以下の３つのイベント：
１．規定された第１の閾値分の電圧振幅の低下、
２．規定された第２の閾値分の有効電力の増加、及び
３．不足励起方向における規定された第３の閾値を超えない無効電力変化
が規定される時間間隔でグリッド接続点において突き止められる場合、通常動作モードと比較して変更された様式でインバータを駆動することによりターゲット値と比較してグリッド接続点において提供される有効電力の低減を行うことによりエネルギー生成システムの特定の動作モードへの変更を行うように構成されることを特徴とする。
【００１８】
そのような分散型エネルギーは、可能な最大有効電力出力が、グリッドに接続された他のグリッド参加者の電力交換を考慮した、グリッド接続点に接続されたグリッドの最大許容可能有効電力取り込み能力よりも大きいような寸法であることができる。そのような最大許容可能有効電力取り込み能力は、グリッド接続点における最大有効電力取り込みＰｍａｘが最悪事例シナリオ状況で、任意選択的に追加の安全マージンを考慮して有することができる最小値によって決まる。これにより、グリッドの生じ得る不安定化を理由にして従来技術による調整方法を使用しては認められないような高い最大インフィード電力を有する分散型エネルギー生成システムの接続が可能になる。
【００１９】
本発明の動作原理について図を参照して更に詳細に以下に説明する。
【図面の簡単な説明】
【００２０】
【図１】図１は、いわゆる「ノーズカーブ」の典型的なプロファイルを示す。
【図２】図２は、本発明によるエネルギー生成システムを示す。
【図３】図３は、「ノーズカーブ」の変形及び本発明による調整方法を例示的に説明するためのこれらの「ノーズカーブ」上の本発明によるエネルギー生成システムのインフィードの運用点を示す。
【発明を実施するための形態】
【００２１】
図２は本発明によるエネルギー生成システム１を示し、エネルギー生成システム１は、グリッド２、この場合、高電圧グリッドへの電力インフィードのために、グリッド接続点ＰＣＣにおいてグリッド２に接続されている。エネルギー生成システム１は、複数の発電機ＰＶ、この場合、光起電発電機を備え、これらはそれぞれ割り当てられたインバータＩＮに接続される。出力側において、インバータＩＮは中電圧変圧器ＭＶＴを介して互いに接続され、中電圧変圧器ＭＶＴは高電圧変圧器ＨＶＴの１次側に接続される。高電圧ＨＶＴの２次側はグリッド接続点ＰＣＣに接続される。高電圧変圧器ＨＶＴの２次側とグリッド接続点との間には測定点３が配置され、測定点３は、グリッド２のグリッドパラメータエネルギー生成システム１のインフィードパラメータを特定し、中央制御ユニットＰＰＣに通信する。グリッドパラメータは、グリッド２の電圧及び周波数を含むことができ、インフィードパラメータはエネルギー生成システム１の有効電力及び無効電力を含むことができる。エネルギー生成システム１の空間的広がり及び定格電力に応じて、変圧器の追加又は省略によりシステム内でより多数又はより少数の電圧レベルを実現することも可能である。
【００２２】
測定点３により特定されるパラメータの他に、制御ユニットＰＰＣは、エネルギー生成システム１の有効電力及び／又は無効電力のターゲット値を受信するように更に構成され、上記ターゲット値はグリッドオペレータにより規定される。エネルギー生成システム１の通常動作モードでは、制御ユニットＰＰＣは、上記制御ユニットがターゲット値を各インバータＩＮのそれぞれの個々のターゲット規定に変換し、破線で示されるように、上記個々のターゲット規定を対応するインバータＩＮに通信することにより、グリッド接続点ＰＣＣにおいて供給される無効電力及び有効電力を規定されたターゲット値に調整する。
【００２３】
グリッドオペレータの規定されたターゲット値及び複数のインバータＩＮの個々のターゲット規定は両方とも、異なるフォーマットを有することができる。例として、絶対電力値、現在利用可能な電力に関連した相対電力値、又は例えばパラメータ形態の特性曲線を規定することが可能である。これに関して、有効電力は、相対であれ絶対であれ、例えば、特性曲線、Ｐ（ｆ）＝Ｐ０−ｃＰ＊（ｆ−ｆ０）として規定することができ、式中、Ｐ０は基準電量であり、ｆ０は基準周波数であり、ｆは測定点３により特定されるグリッド周波数であり、ｃＰは特性曲線勾配である。それに対応して、無効電力の場合、基準電力Ｑ０、基準電圧Ｕ０、測定点３により特定されるグリッド電圧振幅Ｕ、及び特性曲線勾配ｃＱを有する特性曲線Ｑ（Ｕ）＝Ｑ０＋ｃＱ＊（Ｕ−Ｕ０）を規定することが可能である。しかしながら、超えることが許されず、且つ／又はそれぞれ到達することが許されない限界値のみをターゲット値又はターゲット規定として通信することを考えることも可能である。ターゲット値の規定の更なる既知の形態も同様に考えることが可能である。
【００２４】
本発明による方法、特にエネルギー生成システム１の特定の動作モードへの変更に関連する３つの基準が存在するか否かのチェックは、好ましくは、中央制御ユニットＰＰＣにおいて実行される。このために、制御ユニットＰＰＣは、規定された時間間隔内の評価のために有効電力及び無効電力の電圧振幅の値−測定点３により検出される−を記憶する。当然ながら、測定誤差を低減するために、検出された値は適宜フィルタリング又は平均することができる。評価内で、制御ユニットＰＰＣは、例えば、有効電力及び無効電力の電圧振幅の最小値及び最大値を特定し、それらから差の形成により時間間隔内のそれらの値の増大又はそれぞれの低減を計算し、計算された増大又はそれぞれの低減を記憶された対応する閾値と比較する。時間間隔内で３つ全ての基準が満たされる場合、中央制御ユニットＰＰＣは特定の動作モードに変わる。特定の動作モードにおいて、エネルギー生成システム１の供給有効電力は、グリッド２の取り込み能力を超える有効電力のインフィードが除外されるような程度に低減される。この場合、低減は、大きさの絶対値として、定格電力若しくはエネルギー生成システム１の現在利用可能な電力の割合として、又は何らかの他の方法で規定することができる。
【００２５】
特定の動作モードへの変更は、対応する通信信号によりグリッドオペレータに通信することができる。特定の動作モードへの変更は同様に、グリッドオペレータの通信信号により行うこともできる。特定の動作モードでは、中央制御ユニットＰＰＣがなお、グリッドオペレータからのターゲット値の変更に応答しながら、それに従って有効電力及び／又は無効電力のインフィードを適合することを考えることができる。
【００２６】
通常動作モードに復帰する場合、制御ユニットＰＰＣは、グリッドオペレータにより規定されたターゲット値まで供給有効電力を段階的に又は連続して増大させ、その過程で、測定点３を用いてグリッドパラメータを常時監視することを試みることができる。生じるグリッドパラメータの値を妨げずに規定されたターゲット値に達する場合、エネルギー生成システム１は通常動作モードに戻ることができる。この復帰も同様に、対応する通信信号によりグリッドオペレータに通信することができ、又は通常動作モードへの復帰は、グリッドオペレータの通信信号により行うことができる。
【００２７】
図３は、供給される電力Ｐの関数としての種々の力率ｃｏｓφの「ノーズカーブ」の理想的なプロファイルを示す。これに関して、ノーズカーブ５は力率ｃｏｓφ＝１の場合に生じるプロファイルであり、ノーズカーブ６は過励起力率ｃｏｓφ＝０．９に割り当てられ、ノーズカーブ６は不足励起力率ｃｏｓφ＝０．９に割り当てられる。この場合、電力Ｐ及び電圧Ｕは正規化されてプロットされている。各ノーズカーブは最大電力点９を有し、異なる力率でのその位置は曲線１０で表され、これは同時に、グリッドにおけるエネルギー生成システム１の安定動作範囲を不安定動作範囲から分ける。安定したグリッド状況を保証するために、供給される電力はこの最大電力点を超えることが許されない。このために、運用点が最大電力点近傍に近づくときを突き止めることが必要である。
【００２８】
ノーズカーブ５上の運用点７は、特定の動作モードに変更するために選ばれた３つの基準を示すために選ばれた。
【００２９】
現在の運用点が最大電力点近傍にあるか否か及び最大電力点に近づいているか否かを突き止めるために、時間間隔内でのグリッド接続点ＰＣＣにおいて供給される電圧振幅及び有効電力の変化が特定される。これは、現在の運用点が、電圧振幅の低下及び有効電力の増加の両方が同時に、割り当てられた閾値を超えるのに十分に高い負勾配（ここではノーズカーブ５上の運用点７）を有するノーズカーブの領域にある場合のみである。これは、電圧振幅の低下ΔＵ及び供給される電圧の増加ΔＰが表される運用点７から運用点７’への遷移により図３に示される。
【００３０】
しかしながら、電圧振幅の低下は、不足励起方向における無効電力変化によって生じることもできる。これはノーズカーブ４により示され、ノーズカーブの安定領域におけるその電圧値Ｕは、有効電力Ｐの達成可能な全ての値で、ノーズカーブ５の電圧値の下にある。この原因を除外するために、電圧振幅の低下を生じさせたか、又は付随して低下を生じさせた可能性がある不足励起方向での無効電力変化があるか否かに関して基準がチェックされる。これが該当しない場合のみ、特定の動作モードへの変更が実行される。
【００３１】
３つの基準が最大電力点へのあらゆる接近を確実には識別せず、したがって、ノーズカーブの不安定領域に変わるリスクが考えられるが、実際には、閾値及び時間間隔が適宜選択される場合、基準は、エネルギー生成システムの安定した動作状況を保証するのに十分である。
【００３２】
参照符号のリスト
１      エネルギー生成システム
２      グリッド
３      測定点
４〜６  ノーズカーブ
７、７’運用点
９      最大電力点
１０    カーブ
ＰＣＣ  グリッド接続点
ＨＶＴ  高電圧変圧器
ＭＶＴ  中電圧変圧器
ＩＮ    インバータ
ＰＶ    発電機
ＰＰＣ  制御ユニット
【図１】
2021515509.tif 000003
【図２】
2021515509.tif 000004
【図３】
2021515509.tif 000005
【国際調査報告】
2021515509.tif 000006
2021515509.tif 000007
2021515509.tif 000008
2021515509.tif 000009